(57)【要約】【課題】通常剥がれにくいように重ねて設けられ、必要に応じて剥がしやすく構成されるパネルを有する電子機器を提供する。【解決手段】電子機器１は、第１パネル３１と、第１パネル３１の前面の側に第１パネル３１の一部に重ねて設けられた第２パネル３２と、前記第１パネル３１の前面の側に着脱可能に設けられたフロントパネル４０とを備える。第１パネル３１の面積のうち、フロントパネル４０が取り外されたときに第２パネル３２に覆われていない露出面積は、フロントパネル４０が取り付けられているときに第２パネル３２及びフロントパネル４０に覆われていない露出面積よりも増加する。【選択図】図１
2018146805.tif 000002
【特許請求の範囲】
【請求項１】
第１パネルと、
前記第１パネルの前面の側に前記第１パネルの一部に重ねて設けられた第２パネルと、
前記第１パネルの前面の側に着脱可能に設けられたフロントパネルと
を備え、
前記第１パネルの面積のうち、前記フロントパネルが取り外されたときに前記第２パネルに覆われていない露出面積は、前記フロントパネルが取り付けられているときに前記第２パネル及び前記フロントパネルに覆われていない露出面積よりも増加する、
電子機器。
【請求項２】
前記フロントパネルが取り外されたときに露出する防水シートをさらに備える、請求項１に記載の電子機器。
【請求項３】
前記フロントパネルの端部の少なくとも一部は、前記第２パネルの端部に沿って設けられる、請求項１又は２に記載の電子機器。
【請求項４】
前記フロントパネルの端部は、前記第２パネルよりも前記前面の側に突出する、請求項１乃至３のいずれか一項に記載の電子機器。
【発明の詳細な説明】
【技術分野】
【０００１】
本開示は、パネルを備える電子機器に関する。
【背景技術】
【０００２】
従来、筐体を保護する構造を備える電子機器がある（例えば、特許文献１参照）。
【先行技術文献】
【特許文献】
【０００３】
【特許文献１】特開２０１４−１３２７０２号公報
【発明の概要】
【発明が解決しようとする課題】
【０００４】
電子機器には、外部からの衝撃等から表示パネルを保護する保護シートが設けられることがある。保護シートは、ユーザによって表示パネルに貼り付けられることがある。保護シートは、ユーザによる取り扱いが容易になるように、表示パネルから剥がされやすく構成されることがある。一方で、保護シートは、表示パネルを衝撃から保護するために、表示パネルから剥がれにくくされることがある。
【０００５】
本開示は、通常剥がれにくいように重ねて設けられ、必要に応じて剥がしやすく構成されるパネルを有する電子機器を提供することを目的とする。
【課題を解決するための手段】
【０００６】
本開示の一実施形態に係る電子機器は、第１パネルと、前記第１パネルの前面の側に前記第１パネルの一部に重ねて設けられた第２パネルと、前記第１パネルの前面の側に着脱可能に設けられたフロントパネルとを備える。前記第１パネルの面積のうち、前記フロントパネルが取り外されたときに前記第２パネルに覆われていない露出面積は、前記フロントパネルが取り付けられているときに前記第２パネル及び前記フロントパネルに覆われていない露出面積よりも増加する。
【発明の効果】
【０００７】
本開示の一実施形態に係る電子機器によれば、通常剥がれにくいように重ねて設けられ、必要に応じて剥がしやすく構成されるパネルを有する電子機器が提供されうる。
【図面の簡単な説明】
【０００８】
【図１】一実施形態に係る電子機器の構成例を示す平面図である。
【図２】図１のＡ−Ａ断面図である。
【図３】図２の破線丸囲み部の拡大図である。
【図４】フロントパネルで覆われる部分の構成例を示す図である。
【図５】図４のＢ−Ｂ断面図である。
【図６】図５の第２パネルの端部を含む拡大図である。
【図７】第２パネルの構成例を示す図である。
【図８】第２パネルの接合位置の一例を示す図である。
【図９】第２パネルの接合位置の比較例を示す図である。
【図１０】第２パネルの端部と支点との位置関係の一例を示す図である。
【図１１】第２パネルの端部に対する治具のアクセスの一例を示す図である。
【図１２】他の実施形態に係るフロントパネルの構成例を示す断面図である。
【発明を実施するための形態】
【０００９】
本実施形態に係る電子機器は、携帯電話、又はスマートフォン等の携帯電子機器であってよい。本実施形態に係る電子機器は、携帯電子機器に限定されるものではない。電子機器は、デスクトップＰＣ（Personal Computer）、ノートＰＣ、タブレット型ＰＣ、家電製品、産業用機器若しくはＦＡ（Factory Automation）機器、又は専用端末等の種々の電子機器であってよい。
【００１０】
例えば特許文献１に記載される電子機器は、特許文献１の段落〔００１７〕及び〔００１８〕に記載されるように、本体の表面を覆い、スクリーンを露出させる窓を有する前面カバーパネルを備える。一方で、本実施形態に係る電子機器は、着脱可能に設けられたフロントパネル４０（図１参照）を備える。フロントパネル４０が取り付けられている場合、第１パネル３１（図２参照）から第２パネル３２（図２参照）が剥がれにくくなるように構成される。フロントパネル４０が取り外されている場合、第１パネル３１から第２パネル３２を剥がしやすくなるように構成される。つまり、本実施形態に係る電子機器は、第２パネル３２が第１パネル３１から通常剥がれにくく構成されつつ、第２パネル３２が必要に応じて第１パネル３１から剥がしやすく構成されうるものである。
【００１１】
図１に示されるように、一実施形態に係る電子機器１は、筐体１０を備える。筐体１０は、例えば、金属又は樹脂等の材料で構成されてよい。筐体１０は、金属又は樹脂等の材料を複合した材料で構成されてよい。筐体１０は、他の種々の材料で構成されてよい。
【００１２】
本実施形態において、筐体１０は、Ｚ軸の正の方向に向く面と、Ｚ軸の負の方向に向く面とを有するものとする。筐体１０のＺ軸の正の方向に向く面は、第１面ともいう。第１面は、前面ともいう。Ｚ軸の正の方向の側は、第１面の側ともいう。筐体１０のＺ軸の負の方向に向く面は、第２面ともいう。第２面は、背面ともいう。Ｚ軸の負の方向の側は、第２面の側ともいう。筐体１０は、第１面及び第２面に限られず、他の方向に向く面を有してよい。筐体１０の各面は、平面に限られず、湾曲形状等を有する曲面であってよい。筐体１０の各面は、互いに交差するように接続してよい。筐体１０の各面は、互いになめらかに接続してよい。
【００１３】
筐体１０の第１面は、Ｙ軸方向に沿う辺がＸ軸方向に沿う辺より長い略矩形であるものとする。筐体１０の長手方向及び短手方向はそれぞれ、Ｙ軸方向及びＸ軸方向に対応するものとする。第１面の形状は、略矩形に限られず、他の形状であってよい。
【００１４】
図１に示されるように、電子機器１は、筐体１０の第１面の側に、表示部２０と、複合パネル３０と、フロントパネル４０とを備える。筐体１０は、第１面を囲うリブ１１を有する。複合パネル３０は、リブ１１の内側に配置される。表示部２０は、複合パネル３０の第２面の側に接合される。表示部２０は、接着剤又は硬化樹脂等によって複合パネル３０に接合されてよい。またはスポンジ等の弾性復帰力により、複合パネル３０に押圧されることによって、表示部２０は複合パネル３０の近傍に保持されてよい。
【００１５】
図１において、複合パネル３０は、筐体１０のＹ軸の正の方向の側に位置する。フロントパネル４０は、筐体１０のＹ軸の負の方向の側に位置する。複合パネル３０とフロントパネル４０との位置関係は、図１の例に限られない。複合パネル３０とフロントパネル４０とは、それぞれ種々の位置に配置されてよい。
【００１６】
図１において、フロントパネル４０は、複合パネル３０のＹ軸の負の方向の側の端部を覆ってよい。言い換えれば、フロントパネル４０は、複合パネル３０の一部を覆ってよい。フロントパネル４０が複合パネル３０を覆う場合、複合パネル３０が保護されうる。
【００１７】
フロントパネル４０は、凸部４１と、傾斜部４２と、カバー部４３と、取付部４４とを有する。フロントパネル４０は、取付部４４で筐体１０に取り付けられる。取付部４４は、取付部材４８によって筐体１０に取り付けられる。フロントパネル４０は、筐体１０に対して着脱可能に構成される。取付部材４８は、ねじ等で構成されてよい。取付部材４８は、フロントパネル４０を着脱可能とする他の部材で構成されてよい。
【００１８】
凸部４１は、リブ１１よりもＺ軸の正の方向に突出する。傾斜部４２は、凸部４１における、フロントパネル４０のＺ軸方向の厚みと比較して、Ｙ軸の正の方向に向けて、フロントパネル４０のＺ軸方向の厚みが小さくなる部分である。
【００１９】
カバー部４３は、フロントパネル４０で覆われる筐体１０の内部と筐体１０の外部との間を空気が移動できる通路となる。カバー部４３は、空気が通過できる孔を有するメッシュシートで構成されてよい。カバー部４３は、パンチング加工によって形成される孔を有する部材で構成されてよい。フロントパネル４０は、筐体１０の内部に配置される構成部を保護する。カバー部４３は、筐体１０の外部と内部との間の空気の通路となりつつ、筐体１０の内部に配置される構成部を保護するように構成される。
【００２０】
図２に示されるように、複合パネル３０は、第１パネル３１と、第２パネル３２とを含む。第２パネル３２は、第１パネル３１の一部に重ねて設けられる。第２パネル３２は、第１パネル３１に対して第１面の側に位置するように、第１パネル３１に接合される。第１パネル３１は、第２面の側の端部において、筐体１０に接合される。表示部２０は、第１パネル３１の第２面の側に接合される。
【００２１】
第１パネル３１及び第２パネル３２は、ガラス又は樹脂等で構成されるパネルであってよい。本実施形態において、第１パネル３１は、ガラスで構成されるガラスパネルであるものとする。第２パネル３２は、樹脂で構成される樹脂パネルであるものとする。
【００２２】
筐体１０と複合パネル３０とで囲まれた領域には、内部構造物６０が設けられる。内部構造物６０は、例えば、バッテリであってよいし、電子機器１の各構成部を制御する制御部として機能するプロセッサ又は電子回路等を含む基板であってよい。
【００２３】
図３に示されるように、筐体１０は、リブ１１と、支持部１２とを備える。筐体１０は、例えば、金属又は樹脂等の材料で構成されてよい。筐体１０は、金属又は樹脂等の材料を複合した材料で構成されてよい。筐体１０は、他の種々の材料で構成されてよい。
【００２４】
複合パネル３０は、リブ１１の内側に配置される。複合パネル３０は、第１パネル３１が第２面の側の端部で支持部１２によって支持されるように、筐体１０に接合される。この場合、第２パネル３２は、電子機器１の前面に向く。表示部２０は、第１パネル３１の、第２面の側に接合される。つまり、表示部２０は、筐体１０の内部の側に接合される。表示部２０は、複合パネル３０を介して、筐体１０に接合されるともいえる。
【００２５】
第２パネル３２が電子機器１の前面に向くことによって、電子機器１が衝撃を受けた場合でも、第１パネル３１が傷つきにくくなる。結果として、第１パネル３１の割れが生じにくくなる。
【００２６】
図４に示されるように、筐体１０は、リブ１１と、背面部１４と、支持部１２とを備える。リブ１１は、筐体１０の第１面を囲うように設けられる。背面部１４は、第１面の反対の面に設けられる。支持部１２は、複合パネル３０のＹ軸の負の方向の端部に設けられる。複合パネル３０は、リブ１１と、支持部１２に支持される。複合パネル３０は、リブ１１と、支持部１２とに接着剤等によって接合されてよい。
【００２７】
電子機器１は、フロントパネル４０で覆われる部分に、スピーカ５０と、マイク５２と、気圧センサ５４とを備える。スピーカ５０は、所定の防水性能を有する。マイク５２及び気圧センサ５４は、所定の防水性能を有する防水シート５６によって覆われる。防水シート５６は、空気を通過させる。防水シート５６が空気を通過させることによって、防水シート５６を通過する音の大きさが減衰しにくいとともに、防水シート５６を介して気圧センサ５４で測定される気圧の精度が向上されうる。
【００２８】
本実施形態において、所定の防水性能は、電子機器１が水没した状態でも使用できる水圧の大きさによって規定されるものとする。所定の防水性能は、電子機器１が水没した状態でも使用できる時間によって規定されてもよい。フロントパネル４０は、スピーカ５０と、マイク５２と、気圧センサ５４とを保護する。カバー部４３は、筐体１０の外部と内部との間で空気を通過させつつ、スピーカ５０と、マイク５２と、気圧センサ５４とを保護する。カバー部４３が筐体１０の内部を保護することによって、電子機器１の耐衝撃性が向上されうる。カバー部４３は、防水シート５６に人体又は物体等が直接接触しにくくする。結果として、防水シート５６の防水性能が保たれやすくなる。
【００２９】
図５に示されるように、筐体１０は、リブ１１と、Ｚ軸の負の方向の側に設けられる背面部１４と、支持部１２とを備える。電子機器１は、リブ１１と、背面部１４と、複合パネル３０とで囲まれた領域に、内部構造物６０を備える。
【００３０】
内部構造物６０は、例えば、バッテリであってよいし、電子機器１の各構成部を制御する制御部として機能するプロセッサ又は電子回路等を含む基板であってよい。筐体１０は、内部構造物６０が位置する領域に水が浸入しないように所定の防水性能を有する。筐体１０が所定の防水性能を有することによって、バッテリ又は基板等に水が付着することによって故障するリスクが低減されうる。
【００３１】
電子機器１の制御部は、例えばプロセッサとして構成される。制御部は、１以上のプロセッサを含んでよい。プロセッサは、特定のプログラムを読み込ませて特定の機能を実行する汎用のプロセッサ、及び特定の処理に特化した専用のプロセッサを含んでよい。専用のプロセッサは、特定用途向けＩＣ（Integrated Circuit）を含んでよい。特定用途向けＩＣは、ＡＳＩＣ（Application Specific Integrated Circuit）ともいう。プロセッサは、プログラマブルロジックデバイスを含んでよい。プログラマブルロジックデバイスは、ＰＬＤ（Programmable Logic Device）ともいう。ＰＬＤは、ＦＰＧＡ（Field-Programmable Gate Array）を含んでよい。制御部は、１つ又は複数のプロセッサが協働するＳｏＣ（System-on-a-Chip）、及びＳｉＰ（System In a Package）のいずれかであってよい。
【００３２】
内部構造物６０がフロントパネル４０から見てＺ軸の負の方向の側に位置する場合、傾斜部４２が、凸部４１よりＺ軸の負の方向に位置することによって、傾斜部４２は外部の物体と衝突しにくく、内部構造物６０に対して衝撃が加わる頻度が低減されうる。
【００３３】
表示部２０は、電子機器１の制御部等から取得した情報に基づき、文字、画像、操作用オブジェクト、ポインタ等を表示する。表示部２０は、例えば、液晶ディスプレイ、有機ＥＬ（Electroluminescence）ディスプレイ、無機ＥＬディスプレイ等の表示デバイスであってよいが、これらに限られない。
【００３４】
第１パネル３１は、タッチセンサを備えてよい。タッチセンサを備える第１パネル３１は、タッチパネルともいう。タッチパネルは、ユーザによるタッチを入力として検出しうる。表示部２０が接合されたタッチパネルは、タッチパネルディスプレイともいう。
【００３５】
図５に示されるように、電子機器１は、フロントパネル４０で覆われた領域に、スピーカ５０と、マイク５２と、気圧センサ５４と、防水シート５６とを備える。フロントパネル４０は、スピーカ５０と、マイク５２と、気圧センサ５４と、防水シート５６とに対する衝撃を緩和しうる。防水シート５６は、マイク５２と、気圧センサ５４とを覆う。フロントパネル４０のカバー部４３と、スピーカ５０又は防水シート５６との間には、空隙５８が存在しうる。
【００３６】
図５において、２個のスピーカ５０の間に、防水シート５６で覆われたマイク５２と気圧センサ５４とが位置する。スピーカ５０と、マイク５２と、気圧センサ５４との位置関係は、図５の例に限られない。スピーカ５０と、マイク５２と、気圧センサ５４とは、種々の態様で配置されてよい。
【００３７】
スピーカ５０は、電子機器１の制御部等から取得した情報に基づき、音を発出する。スピーカ５０は、電子機器１において音楽又は映像等のコンテンツを再生する場合に、コンテンツに含まれる音を発出してよい。スピーカ５０は、電子機器１において、音声通信を行う場合に、呼び出し音又は相手方の音声等を発出してよい。スピーカ５０は、電子機器１がスピーカフォンとして動作する場合に、相手方の音声を大きい音量で出力してよい。スピーカ５０は、これらの例に限られず、種々の音を発出してよい。
【００３８】
スピーカ５０は、カバー部４３を通じて筐体１０の外部と音響的に接続される。つまり、スピーカ５０と筐体１０の外部との間には、カバー部４３を通じて音の伝達経路が確保される。スピーカ５０から発出された音は、フロントパネル４０のカバー部４３を通じて、筐体１０の外部に出力される。
【００３９】
マイク５２は、入力される音を取得する。マイク５２は、入力される音に基づく情報を生成し、電子機器１の制御部等に出力する。マイク５２は、電子機器１において録音又は録画等をする場合に、音を取得してよい。マイク５２は、電子機器１において、音声通信を行う場合に、相手方に送信する音声を取得してよい。マイク５２は、これらの例に限られず、種々の音を取得してよい。
【００４０】
マイク５２は、カバー部４３と防水シート５６とを通じて筐体１０の外部と音響的に接続される。つまり、マイク５２と筐体１０の外部との間には、カバー部４３と防水シート５６とを通じて音の伝達経路が確保される。筐体１０の外部からの音は、フロントパネル４０のカバー部４３と防水シート５６とを通じてマイク５２に入力される。
【００４１】
気圧センサ５４は、カバー部４３と防水シート５６とを通じて、筐体１０の外部とつながることによって、筐体１０の外部の気圧を測定する。気圧センサ５４は、筐体１０の外部の気圧に係る情報を電子機器１の制御部等に出力する。
【００４２】
図４及び図５において、スピーカ５０及びマイク５２は、筐体１０のＹ軸の負の方向の側に配置される。スピーカ５０及びマイク５２は、筐体１０のＹ軸の正の方向の側にさらに配置されてよい。電子機器１が音声通信を実行する場合、筐体１０のＹ軸の正の方向の側に配置されるスピーカ５０が、レシーバとして機能してよい。電子機器１がスピーカフォンとして動作する場合、筐体１０のＹ軸の正の方向の側に配置されるマイク５２が、相手方に送信する音声を取得してよい。
【００４３】
図６に示されるように、フロントパネル４０は、第１パネル３１の第１面の側の端部を覆うように、電子機器１の前面の側に、着脱可能に配置される。このようにすることで、第１パネル３１の端部への衝撃が緩和されうる。結果として、第１パネル３１が破損しにくくなる。フロントパネル４０は、第２パネル３２の端部が露出するように位置する。このようにすることで、フロントパネル４０は、電子機器１の前面において第２パネル３２と並んで位置する。フロントパネル４０が第２パネル３２と重なって位置する場合と比較して、電子機器１の厚みが低減されうる。
【００４４】
電子機器１は、フロントパネル４０が筐体１０から取り外された状態で、第１パネル３１と第２パネル３２とが接合する界面に、第２パネル３２を剥がすための治具３３（図１１参照）が挿入可能となるように構成されてよい。言い換えれば、電子機器１は、フロントパネル４０が筐体１０から取り外された状態で、第１パネル３１と第２パネル３２とが接合する界面にアクセス可能に構成されてよい。
【００４５】
（第２パネルの構成）
図７に示されるように、第２パネル３２は、表面部３２１と、基材３２２とを含む。表面部３２１は、電子機器１の前面の側に位置し、ユーザの指等で直接タッチされる。表面部３２１は、比較的高い硬度を有する材料であってよい。表面部３２１は、指等のタッチに対する耐摩耗性がある材料であってよい。表面部３２１は、物体等の衝突に対して傷つきにくい材料であってよい。表面部３２１は、衝突してきた物体を貫通させにくい材料であってよい。表面部３２１は、所定の厚みを有してよい。所定の厚みは、衝突してきた物体を貫通させにくいように、材料に応じて決定される厚みであってよい。表面部３２１は、例えばアクリル系樹脂であってよい。表面部３２１は、例えばアクリル系樹脂に限定されず、有機系樹脂であってよい。
【００４６】
第２パネル３２は、表面部３２１と基材３２２との間に、第１粘着材３２３を有する。表面部３２１と基材３２２とは、第１粘着材３２３によって接合される。第１粘着材３２３は、表面部３２１に対して高い接合強度を有する材料であってよい。表面部３２１がアクリル系樹脂である場合、第１粘着材３２３は、アクリル系粘着材等であってよい。表面部３２１が有機系樹脂である場合、第１粘着材３２３は、有機系粘着材等であってよい。
【００４７】
第２パネル３２は、基材３２２の第２面の側に第２粘着材３２４を有する。第２パネル３２は、第２粘着材３２４によって、第１パネル３１のガラス面３１１に接合される。ガラス面３１１は、第１パネル３１の第１面の側の面であるものとする。第２粘着材３２４は、ガラス面３１１に対して高い接合強度を有する材料であってよい。第２粘着材３２４は、シリコン系粘着材等であってよい。
【００４８】
基材３２２は、第１粘着材３２３と第２粘着材３２４との両方に対して高い接合強度を有する材料であってよい。第１粘着材３２３及び第２粘着材３２４がそれぞれアクリル系粘着材及びシリコン系粘着材である場合、基材３２２は、例えばＰＥＴ（Polyethylene Terephthalate）で構成されてよい。
【００４９】
表面部３２１は、電子機器１の前面の側に対応する第１面の側に、防汚層３２５を有する。防汚層３２５は、ユーザのタッチによる指紋等の油脂成分を付着しにくくする。結果として、複合パネル３０は、汚れにくくなりうる。防汚層３２５は、例えばフッ素コート等の種々の表面処理によって形成される層であってよい。
【００５０】
複合パネル３０は、第２パネル３２を有することによって、ガラスだけで構成されるパネルと比較して、第１パネル３１に傷がつきにくい。結果として、パネルが割れにくくなりうる。複合パネル３０は、電子機器１の前面の側に防汚層３２５を有することによって、汚れにくくなりうる。複合パネル３０は、ガラスだけで構成されるパネルとは異なり、第２パネル３２に覆われたガラス面３１１には汚れが付着するおそれがない。ガラス面３１１にフッ素コート等の防汚コートが施されなくてよい。ガラス面３１１に第２パネル３２が直接接合されることによって、第１パネル３１と第２パネル３２との接合強度が高められうる。
【００５１】
例えば、ガラスだけで構成されるパネルを備えるスマートフォン等の機器において、パネルの表面に防汚コートが施されることがある。ユーザは、防汚コートが施されたパネルに保護シートを貼りつけて機器を使用することがある。防汚コートは、ごみ等が付着しにくくなる処理である。防汚コートが施されたパネルに対する保護シートの粘着強度は、防汚コートが施されていないパネルに対する粘着強度と比較して、低くなりうる。
【００５２】
粘着強度は、互いに粘着した２枚のシートを一定の速度で剥離する際に必要な力として測定されうる。第１パネル３１及び保護シートはそれぞれ、剛性材料及び可撓性材料とみなされうる。剛性材料と可撓性材料との間の粘着強度の測定に際して、１８０度剥離によって、シートが剥離されてよい。１８０度剥離は、可撓性材料を１８０度に近い角度で撓ませて、剛性材料から剥離する方法である。実際に測定した結果によれば、防汚コートされた第１パネル３１と保護シートとの間の粘着強度は、防汚コートされていない第１パネル３１と保護シートとの間の粘着強度の１０分の１以下であった。つまり、防汚コートは、保護シートの粘着強度を低下させる。粘着強度の測定に用いられる剥離方法は、Ｔ型剥離等の他の形態の剥離方法であってよい。
【００５３】
防汚コートが施された第１パネル３１に貼りつけられた保護シートは、電子機器１が通常に使用される際に保護シートの端部にユーザの爪などが引っ掛かることによって容易に剥がれることがある。また、防汚コートが施された第１パネル３１に貼りつけられた保護シートは、該保護シートと第１パネル３１の接着界面に油分又は水分等が侵入することで接着強度が低下して容易に剥がれることがある。また、防汚コートが施された第１パネル３１に貼りつけられた保護シートは、熱又は湿度等の影響で反り変形を起こし、接着強度が変形に耐えられずに容易に剥がれることがある。一方で、本実施形態に係る複合パネル３０は、防汚コートが施されていない第１パネル３１のガラス面３１１に第２パネル３２を接合する。このようにすることで、ユーザが保護シートを貼りつける場合と比較して、第２パネル３２が剥がれにくくなる。
【００５４】
第２パネル３２は、第１パネル３１を傷つきにくくする。第１パネル３１に傷がつきにくい代わりに、第２パネル３２には傷がつくことがある。複合パネル３０は、第１パネル３１と第２パネル３２とが剥がれにくくなるように構成されつつ、剥離可能に構成される。第２パネル３２が剥離可能に構成されることによって、第２パネル３２に傷がついた場合、第２パネル３２だけが交換されうる。この場合、第１パネル３１は、交換されなくてよい。結果として、修理が容易になりうる。
【００５５】
第１パネル３１は、筐体１０の端部に近い領域において湾曲形状を有することがある。湾曲形状を有する第１パネル３１に接合された第２パネル３２は、湾曲の曲率が大きくなる端部において剥がれやすくなることがある。第２パネル３２は、比較的低い可撓性を有する場合、湾曲形状を有する第１パネル３１から、より剥がれやすい。第１パネル３１に防汚コートが施されている場合、第２パネル３２は、第１パネル３１から、より剥がれやすい。第２パネル３２は、防汚コートが施されていない第１パネル３１のガラス面３１１に接合されることによって、第２パネル３２が比較的低い可撓性を有する場合であっても、湾曲形状を有する第１パネル３１から剥がれにくくなる。
【００５６】
樹脂だけで構成されるパネルにタッチした際にユーザが受ける質感は、ガラスを含むパネルにタッチした際に受ける質感とは異なりうる。本実施形態に係る複合パネル３０は、ガラスを含むパネルから受ける質感を提供しうるとともに、ガラスを含むパネルが有する割れの発生のリスクを低減しうる。
【００５７】
第２粘着材３２４は、第２パネル３２がガラス面３１１に接合される際に、接合部に気泡が残りにくいように構成されてよい。例えば、第２粘着材３２４は、微粘着成分と強粘着成分との比率を適宜設定することによって、接合部から気泡が抜けやすいように構成されうる。
【００５８】
第１パネル３１と表示部２０とは、ＵＶ（Ultra Violet）光等の照射によって硬化する、光硬化材料で接合されてよい。第１パネル３１と表示部２０とがＵＶ光の照射によって硬化する材料で接合される場合、第２パネル３２は、第１パネル３１と表示部２０とが接合された後で、第１パネル３１に接合されてよい。このようにすることで、第２パネル３２にはＵＶ光等が照射されない。結果として、ＵＶ光等の照射による第２パネル３２の変質が防がれうる。また、第２パネル３２がアクリル系樹脂である場合、第２パネル３２が先に第１パネル３１に接合された状態で、第１パネル３１と表示部２０とをＵＶ光等の照射で接合させようとすると、ＵＶ領域の波長の光がアクリル系樹脂に吸収されてしまう。これにより光硬化材料の硬化に必要な光量が得られなくなる。これに対し、第１パネル３１と表示部２０とが接合された後で、第２パネル３２を第１パネル３１に接合すれば、このようなことを防ぐことができる。
【００５９】
図８に示されるように、第１パネル３１は、ガラス面３１１の端部に、面取り部３１２を有してよい。面取り部３１２は、第１パネル３１の側面とガラス面３１１との間の稜部に位置する面取り形状である。面取り部３１２は、図８に例示されるＣ面取り形状に限られず、Ｒ面取り形状等の他の面取り形状であってよい。第１パネル３１が面取り部３１２を有する場合、第２パネル３２は、面取り部３１２よりも内側に接合される。言い換えれば、第２パネル３２の端部は、面取り部３１２から所定距離以上離れて位置する。
【００６０】
図９に示されるように、第２パネル３２の端部が面取り部３１２に重複して位置する場合、第２パネル３２の第２粘着材３２４の一部が露出する。第２粘着材３２４にごみ等が付着することによって、第１パネル３１と第２パネル３２との界面における接合強度が低下しうる。また、第２粘着材３２４にごみ等が付着することによって、外観品質が低下しうる。図８に示される本実施形態に係る複合パネル３０は、図９に示される構成と比較して、第１パネル３１と第２パネル３２との接合強度が保たれやすい。また、図８に示される本実施形態に係る複合パネル３０は、図９に示される構成と比較して、外観品質が保たれやすい。
【００６１】
図１０に示されるように、第２パネル３２は、第１パネル３１が支持部１２によって支持される位置に重畳してよい。第１パネル３１が支持部１２によって支持される位置は、支点ともいう。言い換えれば、第２パネル３２の端部は、支点より筐体１０のリブ１１に近い外側に位置してよい。第１パネル３１は、支点において、比較的大きい応力を受けうる。第２パネル３２が支点に重畳する場合、支点において複合パネル３０にかかる応力は、第２パネル３２にも分散しうる。結果として、支点において複合パネル３０にかかる応力は、緩和されうる。
【００６２】
第２パネル３２は、電子機器１の使用状態によっては傷つくことがある。第２パネル３２が傷ついたとしても、第２パネル３２によって衝撃が吸収されることによって、第１パネル３１の割れが防がれうる。第２パネル３２は、傷ついた場合交換されてよい。第２パネル３２は、第１パネル３１から剥離可能に構成されることによって、交換されうる。
【００６３】
図１１に示されるように、治具３３は、フロントパネル４０が取り外された状態において、第１パネル３１と第２パネル３２との接合部に対して挿入されやすくなる。第２パネル３２は、第１パネル３１と第２パネル３２との接合部に対して治具３３が挿入されることによって剥がされうる。複合パネル３０は、フロントパネル４０が取り外された状態において、ユーザの爪等によって第２パネル３２が剥がされうるように構成されてよい。言い換えれば、複合パネル３０は、フロントパネル４０が取り外された状態において、第１パネル３１と第２パネル３２との接合部に対して、治具３３又はユーザの爪等によってアクセス可能に構成される。第１パネル３１は、第１面の側において、治具３３又はユーザの爪等が滑るように構成されてよい。このようにすることで、第１パネル３１があわせて剥がされることが起こりにくくなる。
【００６４】
図６と図１１との比較によって、第１パネル３１と第２パネル３２とフロントパネル４０との位置関係は、第１パネル３１が第１面の側で露出する面積によって特定されうる。図６において、第１パネル３１の第１面の側には、第２パネル３２とフロントパネル４０とに覆われていない露出部３１ａが存在する。図１１において、フロントパネル４０が取り外されている第１パネル３１の第１面の側には、第２パネル３２に覆われていない露出部３１ｂが存在する。露出部３１ｂの面積は、露出部３１ａの面積よりも広い。露出部３１ａ及び３１ｂの面積は、露出面積ともいう。言い換えれば、フロントパネル４０が取り外されたときに第２パネル３２に覆われていない露出面積は、フロントパネル４０が取り付けられているときに第２パネル３２とフロントパネル４０とに覆われていない露出面積よりも増加する。
【００６５】
第２パネル３２が第１パネル３１に貼り付けられるとき、第２パネル３２と第１パネル３１との間に気泡又は異物が入らないように、第２パネル３２は、スキージ等によって端部に向けて押しあてられてよい。フロントパネル４０が取り外されることによって、第２パネル３２は、端部に向けてスキージ等によって押しあてられやすくなり、第１パネル３１に対してより強く接合されうる。結果として、第２パネル３２は、第１パネル３１から意図せずに剥離されることが起こりにくくなる。
【００６６】
図４に示されるように、フロントパネル４０の端部の少なくとも一部は、第２パネル３２のＹ軸の負の方向の側の端部に沿って設けられてよい。フロントパネル４０の端部の少なくとも一部が第２パネル３２の端部に沿うことによって、第２パネル３２の端部にユーザの指先等が引っ掛かりにくくなる。結果として、第２パネル３２は、第１パネル３１から意図せずに剥離されることが起こりにくくなる。フロントパネル４０の端部の少なくとも一部が第２パネル３２の端部に沿うことによって、表示部２０に表示される文字又は画像等の可視性が保たれうる。
【００６７】
図６に示されるように、フロントパネル４０のＹ軸の正の方向の端部の厚みは、第２パネル３２の厚みよりも厚くされてよい。言い換えれば、フロントパネル４０の端部は、第２パネル３２よりも筐体１０の前面の側に突出してよい。フロントパネル４０の端部が第２パネル３２より突出することによって、第２パネル３２の端部にユーザの指先等が引っ掛かりにくくなる。結果として、第２パネル３２は、第１パネル３１から意図せずに剥離されることが起こりにくくなる。
【００６８】
他の実施形態に係る電子機器１において、フロントパネル４０は、図１２に示されるように、第２パネル３２の端部の少なくとも一部を覆ってよい。言い換えれば、フロントパネル４０が取り付けられている状態で、第１パネル３１と第２パネル３２との接合部が露出しない。フロントパネル４０が取り外されている状態で、第１パネル３１と第２パネル３２との接合部が露出する。このようにすることで、第２パネル３２の端部において、ごみの付着又は物体の衝突が起こりにくくなる。結果として、第２パネル３２は、第１パネル３１から意図せずに剥離されることが起こりにくくなる。
【００６９】
フロントパネル４０は、第２パネル３２のＹ軸の負の方向の端部の少なくとも一部を覆ってよい。フロントパネル４０は、第２パネル３２のＸ軸の正又は負の方向の端部の少なくとも一部を覆ってよい。このようにすることで、第２パネル３２は、第１パネル３１から意図せずに剥離されることが起こりにくくなる。
【００７０】
本実施形態に係る電子機器１は、着脱可能なフロントパネル４０を備える。フロントパネル４０が取り付けられる場合、第２パネル３２は、意図せずに剥離されにくくされうる。フロントパネル４０が取り外される場合、治具３３又はユーザの爪等によって第２パネル３２が容易に剥がされうる。フロントパネル４０が着脱可能であることによって、第２パネル３２が通常剥がれにくく構成されつつ、必要に応じて剥がしやすく構成されうる
【００７１】
（洗浄の容易性）
本実施形態に係る電子機器１は、筐体１０の内部への水又は異物の進入を防ぐ構造を有する。電子機器１は、空気の通路となるカバー部４３を有する。水又は異物は、カバー部４３から筐体１０の内部に進入しうる。電子機器１は、水又は異物が進入しうるカバー部４３で覆われる領域に、所定の防水性能を有するスピーカ５０と防水シート５６とを備える。水が進入しうる領域に配置される構成部が所定の防水性能を有することによって、電子機器１全体としての防水性能が向上されうる。
【００７２】
防水シート５６は、所定の防水性能を有しつつ、空気を通過させるように構成される。防水シート５６の表面が水で濡れた場合、防水シート５６は、空気を通過させにくくなる。言い換えれば、防水シート５６の表面が水で濡れることによって、防水シート５６の通気性が悪くなる。防水シート５６の通気性が悪い場合、筐体１０の外部からの音は、防水シート５６で覆われるマイク５２に入力されにくくなる。防水シート５６の通気性が悪い場合、防水シート５６で覆われる気圧センサ５４によって測定される筐体１０の外部の気圧の精度が低下しうる。
【００７３】
防水シート５６の表面が水で濡れた場合、防水シート５６の表面を乾燥させることによって、防水シート５６の通気性が回復しうる。フロントパネル４０が取り外されることによって、防水シート５６の表面が乾燥されやすくなる。
【００７４】
図５に示されるように、カバー部４３とスピーカ５０又は防水シート５６との間に空隙５８が存在する場合、カバー部４３から筐体１０の内部に進入した異物は、空隙５８に残留しうる。カバー部４３から筐体１０の内部に海水等の塩分を含む水が浸入した場合、塩分が空隙５８において結晶として析出しうる。析出した塩分は、空隙５８に残留した異物となりうる。異物は、空隙５８の存在にかかわらず、カバー部４３が有する空気の通路に残留したり、析出したりしうる。
【００７５】
空隙５８に残留した異物は、スピーカ５０から発出される音に影響を及ぼしうる。例えば、空隙５８に残留した異物は、スピーカ５０からの音の大きさを減少させたり、音の質を変化させたりしうる。空隙５８に残留した異物は、マイク５２に入力される音に影響を及ぼしうる。例えば、空隙５８に残留した異物は、マイク５２に入力される音の大きさを減少させたり、音の質を変化させたりする。空隙５８に残留した異物は、気圧センサ５４で測定される気圧に影響を及ぼしうる。空隙５８に残留した異物は、防水シート５６を傷つけうる。防水シート５６が傷つけられた場合、防水シート５６の防水性能が低下する。つまり、空隙５８に残留した異物は、防水シート５６の防水性能を低下させうる。
【００７６】
フロントパネル４０を取り外さずに電子機器１が洗浄される場合、洗剤を含む水が筐体１０の内部に浸入しうる。カバー部４３から筐体１０の内部に洗剤を含む水が浸入した場合、洗剤の成分が空隙５８に残留しうる。洗剤の成分が空隙５８に残留することによって、防水シート５６の防水性能が低下しうる。
【００７７】
空隙５８に異物が残留した場合、洗浄などによって異物を除去することによって、スピーカ５０、マイク５２、及び気圧センサ５４に及ぼされる影響が低減されうる。フロントパネル４０が取り外されることによって、空隙５８に残留した異物が除去されやすくなる。
【００７８】
本実施形態に係る電子機器１は、着脱可能なフロントパネル４０を備える。フロントパネル４０が取り外されることによって、防水シート５６は、露出し、容易に洗浄されうる。結果として、防水シート５６の防水性能が保たれやすくなる。
【００７９】
カバー部４３と防水シート５６との間の空隙５８が存在しないように構成されてよい。この場合、カバー部４３が防水シート５６に接触するように設けられてよい。カバー部４３が防水シート５６に接触することによって、防水シート５６が押さえつけられてよい。結果として、防水シート５６が剥がれにくくなりうる。
【００８０】
本開示に係る実施形態について、諸図面及び実施例に基づき説明してきたが、当業者であれば本開示に基づき種々の変形又は修正を行うことが容易であることに注意されたい。従って、これらの変形又は修正は本開示の範囲に含まれることに留意されたい。例えば、各構成部又は各ステップなどに含まれる機能などは論理的に矛盾しないように再配置可能であり、複数の構成部又はステップなどを１つに組み合わせたり、或いは分割したりすることが可能である。本開示に係る実施形態について装置を中心に説明してきたが、本開示に係る実施形態は装置の各構成部が実行するステップを含む方法としても実現し得るものである。本開示に係る実施形態は装置が備えるプロセッサにより実行される方法、プログラム、又はプログラムを記録した記憶媒体としても実現し得るものである。本開示の範囲にはこれらも包含されるものと理解されたい。
【００８１】
本開示において「第１」及び「第２」等の記載は、当該構成を区別するための識別子である。本開示における「第１」及び「第２」等の記載で区別された構成は、当該構成における番号を交換することができる。例えば、第１粘着材は、第２粘着材と識別子である「第１」と「第２」とを交換することができる。識別子の交換は同時に行われる。識別子の交換後も当該構成は区別される。識別子は削除してよい。識別子を削除した構成は、符号で区別される。本開示における「第１」及び「第２」等の識別子の記載のみに基づいて、当該構成の順序の解釈、小さい番号の識別子が存在することの根拠に利用してはならない。
【符号の説明】
【００８２】
１  電子機器
１０  筐体
１１  リブ
１２  支持部
１４  背面部
２０  表示部
３０  複合パネル
３１  第１パネル
３１１  ガラス面
３１２  面取り部
３２  第２パネル
３２１  表面部
３２２  基材
３２３  第１粘着材
３２４  第２粘着材
３２５  防汚層
３３  治具
４０  フロントパネル
４１  凸部
４２  傾斜部
４３  カバー部
４４  取付部
４８  取付部材
５０  スピーカ
５２  マイク
５４  気圧センサ
５６  防水シート
５８  空隙
６０  内部構造物
【図１】
2018146805.tif 000003
【図２】
2018146805.tif 000004
【図３】
2018146805.tif 000005
【図４】
2018146805.tif 000006
【図５】
2018146805.tif 000007
【図６】
2018146805.tif 000008
【図７】
2018146805.tif 000009
【図８】
2018146805.tif 000010
【図９】
2018146805.tif 000011
【図１０】
2018146805.tif 000012
【図１１】
2018146805.tif 000013
【図１２】
2018146805.tif 000014
【手続補正書】
【提出日】平成29年4月18日(2017.4.18)
【手続補正１】
【補正対象書類名】特許請求の範囲
【補正対象項目名】全文
【補正方法】変更
【補正の内容】
【特許請求の範囲】
【請求項１】
少なくとも一部が透明な第１パネルと、
前記第１パネルの前面の側に前記第１パネルの一部に重ねて設けられた、少なくとも一部が透明な第２パネルと、
前記第１パネルの前面の側に着脱可能に設けられたフロントパネルと、
前記第２パネルの端部に沿って設けられたリブと
を備え、
前記第２パネルは、前記リブ及び前記フロントパネルに包囲された領域に配置され、前記第１パネルの面積のうち、前記フロントパネルが取り外されたときに前記第２パネルに覆われていない露出面積は、前記フロントパネルが取り付けられているときに前記第２パネル及び前記フロントパネルに覆われていない露出面積よりも増加する、
電子機器。
【請求項２】
前記第２パネルの端面は、前記リブの側面又は前記フロントパネルの端面に近接して設けられる、請求項１に記載の電子機器。
【請求項３】
前記フロントパネルが取り外されたときに露出する防水シートをさらに備える、請求項１又は２に記載の電子機器。
【請求項４】
前記フロントパネルの端部は、前記第２パネルよりも前記前面の側に突出する、請求項１乃至３のいずれか一項に記載の電子機器。
【手続補正２】
【補正対象書類名】明細書
【補正対象項目名】０００６
【補正方法】変更
【補正の内容】
【０００６】
本開示の一実施形態に係る電子機器は、少なくとも一部が透明な第１パネルと、前記第１パネルの前面の側に前記第１パネルの一部に重ねて設けられた、少なくとも一部が透明な第２パネルと、前記第１パネルの前面の側に着脱可能に設けられたフロントパネルと、前記第２パネルの端部に沿って設けられたリブとを備える。前記第２パネルは、前記リブ及び前記フロントパネルに包囲された領域に配置される。前記第１パネルの面積のうち、前記フロントパネルが取り外されたときに前記第２パネルに覆われていない露出面積は、前記フロントパネルが取り付けられているときに前記第２パネル及び前記フロントパネルに覆われていない露出面積よりも増加する。